(57)【要約】【課題】給紙カセットから繰り出され処理された帳票と、その帳票が取り扱われた窓口とを一義的に定められるようにする。【解決手段】郵便局，銀行等の金融機関の窓口で払込みに用いられる払込み票３を保管するための複数の給紙カセット４Ａ，４Ｂが入替自在に装着されるカセット装着部２１を有し、このカセット装着部２１に装着された給紙カセットから払込み票３を１枚ずつ繰り出して処理する帳票処理装置２において、給紙カセット毎に固有のカセット識別コードを設定するＩＤ設定部４１を設ける。そして帳票処理装置２に、カセット装着部２１に装着された給紙カセットからカセット識別コードを認識するＩＤ認識部２１０を設ける。【選択図】      図１
2006252308.tif 000002
【特許請求の範囲】
【請求項１】
郵便局，銀行等の金融機関の窓口で払込みに用いられる帳票を保管するための複数の給紙カセットが入替自在に装着されるカセット装着部を有し、このカセット装着部に装着された前記給紙カセットから前記帳票を１枚ずつ繰り出して処理する帳票処理装置において、
前記給紙カセット毎に固有のカセット識別コードを設定し、
前記カセット装着部に装着された前記給紙カセットから前記カセット識別コードを認識する識別コード認識手段を設けたことを特徴とする帳票処理装置。
【請求項２】
郵便局，銀行等の金融機関の払込み窓口での対面処理を行う窓口端末機と、前記窓口で払込みに用いられる帳票を保管するための複数の給紙カセットが入替自在に装着されるカセット装着部を有し、このカセット装着部に装着された前記給紙カセットから前記帳票を１枚ずつ繰り出して当該帳票のイメージデータの取得及び認識処理等の後方処理を行う帳票処理装置とからなり、前記窓口端末機の対面処理で生じた対面処理データを前記帳票処理装置に送信するようにした払込み処理システムにおいて、
前記給紙カセットを、前記窓口で払込みに用いられた帳票を保管するためのケースとして用いるとともに、前記給紙カセット毎に固有のカセット識別コードを設定し、
前記窓口端末機は、当該窓口での帳票保管用ケースとしての前記給紙カセットの前記カセット識別コードと一致する窓口識別コードを設定する窓口識別コード設定手段と、前記対面処理データに前記窓口識別コードを付して前記帳票処理装置に送信するデータ送信処理手段とを具備し、
前記帳票処理装置は、前記カセット装着部に装着された前記給紙カセットから前記カセット識別コードを認識する識別コード認識手段と、前記窓口端末機から受信した対面処理データを当該対面処理データに付された窓口識別コードに関連付けて記憶する対面処理データ記憶手段とを具備したことを特徴とする払込み処理システム。
【請求項３】
前記帳票処理装置は、前記後方処理で認識された帳票データと、前記識別コード認識手段により認識されたカセット識別コードと一致する窓口識別コードに関連付けられて記憶されている前記対面処理データとを比較するデータ比較手段をさらに具備したことを特徴とする請求項２記載の払込み処理システム。
【請求項４】
前記窓口端末機は複数存在し、各窓口端末機は、同時に複数の窓口端末機に同一の窓口識別コードが設定されるのを禁止する重複設定禁止手段を具備したことを特徴とする請求項２または３記載の払込み処理システム。
【発明の詳細な説明】
【技術分野】
【０００１】
本発明は、郵便局，銀行等の金融機関の窓口で払込みに用いられる帳票を処理する帳票処理装置及びこの装置を用いた払込み処理システムに関する。
【背景技術】
【０００２】
郵便局，銀行等の金融機関の窓口で帳票を用いた払込みに対する処理を行う払込み処理システムにおいて、窓口端末機において窓口での対面処理を先行して行い、この窓口端末機からデータを帳票処理装置に送信し、この帳票処理装置において対面処理済帳票のイメージデータの取得及び認識処理等の後方処理を後で行うようにして、対面処理に要する時間の短縮を図るようにした技術は既に知られている（例えば、特許文献１参照）。
【特許文献１】特開２００４-２８０１５０号公報
【発明の開示】
【発明が解決しようとする課題】
【０００３】
上述したように、窓口での対面処理を先行して行い、後で帳票処理装置による後方処理を行う場合、従来システムでは、対面処理済の帳票を窓口担当者が一時的に保管し、後で保管しておいた帳票を帳票処理装置の給紙カセットにセットして後方処理を実行させることとなる。その際、帳票処理装置には窓口端末機で処理され伝送された帳票の対面処理データが蓄積保存されているので、後方処理で認識された帳票に該当する対面処理データの有無がチェックされて、該当する対面処理データが存在する帳票と存在しない帳票とが区別される。
【０００４】
しかしながら従来システムにおいては、給紙カセットから繰り出され後方処理が施された帳票と、その帳票が対面処理された窓口とを一義的に定めることが困難であったので、例えば該当する対面処理データが存在しない帳票が判明しても、その帳票の対面処理が行われた窓口やその窓口の担当者を特定するのに手間と時間がかかるという問題があった。
【０００５】
本発明はこのような事情に基づいてなされたもので、その目的とするところは、給紙カセットから繰り出され処理された帳票と、その帳票が取り扱われた窓口とを一義的に定めることができ、処理済帳票の取扱い窓口若しくは窓口担当者を容易に短時間で特定することができる帳票処理装置及びこの装置を用いた払込み処理システムを提供しようとするものである。
【課題を解決するための手段】
【０００６】
本発明の帳票処理装置は、郵便局，銀行等の金融機関の窓口で払込みに用いられる帳票を保管するための複数の給紙カセットが入替自在に装着されるカセット装着部を有し、このカセット装着部に装着された給紙カセットから帳票を１枚ずつ繰り出して処理するものである。このものにおいて、給紙カセット毎に固有のカセット識別コードを設定し、カセット装着部に装着された給紙カセットからカセット識別コードを認識する識別コード認識手段を設けたものである。
【０００７】
かかる構成により、カセット装着部に装着された給紙カセットからカセット識別コードが認識される。したがって、給紙カセットから繰り出された帳票の処理データを、当該給紙カセットのカセット識別コードに関連付けて管理することが可能となる。そこで、給紙カセットを１つの窓口で対面処理された帳票専用の保管ケースとして使用することにより、この給紙カセットをカセット装着部に装着し処理を実行させるだけで、帳票処理装置で処理された帳票のデータから当該帳票の対面処理が行われた窓口を特定することが可能となる。
【０００８】
また、本発明の払込み処理システムは、郵便局，銀行等の金融機関の払込み窓口での対面処理を行う窓口端末機と、帳票処理装置とからなり、窓口端末機の対面処理で生じた対面処理データを帳票処理装置に送信するようにした払込み処理システムである。このシステムにおいて、給紙カセットを、窓口で払込みに用いられた帳票を保管するためのケースとして用いるとともに、給紙カセット毎に固有のカセット識別コードを設定する。また、窓口端末機は、当該窓口での帳票保管用ケースとしての給紙カセットのカセット識別コードと一致する窓口識別コードを設定する窓口識別コード設定手段と、対面処理データに窓口識別コードを付して帳票処理装置に送信するデータ送信処理手段とを備える。帳票処理装置は、カセット装着部に装着された給紙カセットからカセット識別コードを認識する識別コード認識手段と、窓口端末機から受信した対面処理データを当該対面処理データに付された窓口識別コードに関連付けて記憶する対面処理データ記憶手段を備える。
【０００９】
かかる構成により、郵便局，銀行等の金融機関の窓口には、その窓口で払込みに用いられた帳票を保管するためのケースとして給紙カセットが窓口端末機とともに置かれている。窓口端末機には、当該窓口での帳票保管用ケースとしての給紙カセットのカセット識別コードと一致する窓口識別コードが設定される。そして、当該窓口端末機の対面処理で生じた対面処理データは、上記窓口識別コードとともに帳票処理装置に送信される。
【００１０】
帳票処理装置では、カセット装着部に装着された給紙カセットからカセット識別コードが認識される。したがって、給紙カセットから繰り出された帳票の処理データに、当該給紙カセットのカセット識別コードを関連付けて管理することが可能となる。また、窓口端末機から送られてきた対面処理データは、当該対面処理データに付された窓口識別コードと関連付けられて記憶される。ここで、給紙カセットを１つの窓口で対面処理された帳票専用の保管ケースとして使用することにより、カセット識別コードと窓口識別コードとは一致するので、給紙カセットをカセット装着部に装着し処理を実行させるだけで、帳票処理装置で処理された帳票のデータから当該帳票の対面処理が行われた窓口を特定することが可能となる。
【発明の効果】
【００１１】
かかる手段を講じた本発明によれば、給紙カセットから繰り出され処理された帳票と、その帳票が取り扱われた窓口とを一義的に定めることができ、処理済帳票の取扱い窓口若しくは窓口担当者を特定する作業が容易となる帳票処理装置及びこの装置を用いた払込み処理システムを提供できる。
【発明を実施するための最良の形態】
【００１２】
以下、本発明を実施するための最良の形態について、図面を用いて説明する。  
なお、この実施の形態は、２つの払込み窓口を有する金融機関での払込み処理システムに本発明を適用した場合である。
【００１３】
図１は本実施の形態における払込み処理システムの概略図である。同図において、２つの払込み窓口である１番窓口及び２番窓口には、それぞれ窓口端末機１Ａ，１Ｂが置かれている。また、窓口の奥側には、帳票処理装置２が置かれている。
【００１４】
窓口端末機１Ａ，１Ｂは、キーボード１１，表示器１２及び通信インターフェイス１３を備えた小型端末機であり、払込み窓口での対面処理を行うものである。キーボード１１には、払込み票３に記載されている払込み金額等の必要事項を入力するためのキーが配置されている。表示器１２には、キー入力された払込み金額等が表示される。通信インターフェイス１３には、信号ケーブル５を介して帳票処理装置２が接続されており、当該窓口端末機１Ａ，１Ｂでの対面処理で生じた対面処理データが帳票処理装置２に伝送されるようになっている。
【００１５】
帳票処理装置２には、給紙カセットの装着部２１と、帳票搬送路２２とが形成されている。カセット装着部２１には給紙部２３が設けられている。帳票搬送路２２には、イメージ読取部２４と印字部２５とが設けられている。
【００１６】
カセット装着部２１には、複数の給紙カセット４Ａ，４Ｂが入替自在に装着される。各給紙カセット４Ａ，４Ｂは、それぞれ窓口で払込みに用いられた払込み票３を保管するためのケースとして用いられる。
【００１７】
払込み票３は、金融機関の窓口での払込みに用いられる帳票の一種であり、図２に示すように、左側部分の払込取扱票３１と右側部分の払込金受領証３２とから構成されている。
【００１８】
払込取扱票３１の左肩部分には、帳票区分３１１が数値で印刷されている。因みに、一般帳票であれば帳票区分は「０２」等であり、ＭＴ帳票であれば帳票区分は「０３」等である。ＭＴ帳票とは、後述する払込先の口座番号及び払込み金額が予め印刷されている帳票を意味する。
【００１９】
また払込取扱票３１には、払込先の口座番号３１２，払込み金額３１３，払込先の氏名としての加入者名３１４の他、利用者の住所，氏名，電話番号などが記載される依頼人欄３１５と印字欄３１６が形成されている。
【００２０】
払込金受領証３２には、払込取扱票３１と同様に、通常プレ印刷されている払込み先の口座番号３２１，払込み金額３２２，払込み先の氏名としての加入者名３２３の他、利用者の住所，氏名，電話番号などが記載される依頼人欄３２４と受付局日付印欄３２５が形成されている。払込金受領証３２は、窓口にて払込取扱票３１から切り離され、払込依頼者に渡される。払込金受領証３２が切り離された払込取扱票３１は、給紙カセット４Ａ，４Ｂに保管される。
【００２１】
帳票処理装置２の説明に戻る。  
給紙部２３は、カセット装着部２１に装着された給紙カセット４Ａ，４Ｂから、帳票である払込み票３を１枚ずつ繰り出して搬送路２２に送り出す。イメージ読取部２４は、搬送路２２を搬送される払込み票３のイメージデータを読取る。印字部２５は、搬送路２２を搬送される払込み票３の印字欄３１６に所定のデータを印字する。なお、搬送路２２を搬送された払込み票は、イメージの読取り及びデータの印字が行われた後、図示しないストッカに排出される。ストッカは、正常ストッカと異常ストッカの２種類あり、正常払込み票として処理された払込み票３は正常ストッカに排出され、異常払込み票として処理された払込み票３は異常ストッカに排出されるようになっている。
【００２２】
また帳票処理装置２は、キー入力部２６、表示部２７、時計部２８、記憶部２９、ＩＤ認識部２１０及び各部を制御する制御部２１１を備えている。制御部２１１には、通信インターフェイス２１２，２１３が設けられており、窓口端末機１Ａ，１Ｂで処理され、信号ケーブル５を介して伝送される対面処理データが受信されるようになっている。
【００２３】
ＩＤ認識部２１０は、カセット装着部２１に装着された給紙カセット４Ａ，４ＢからカセットＩＤを認識するもので、識別コード認識手段を構成する。すなわち各給紙カセット４Ａ，４Ｂには、ＩＤ設定部４１がそれぞれ設けられており、ユーザが固有のカセット識別コードとしてのカセットＩＤを個々に設定できるようになっている。そして、いずれか一方の給紙カセット４Ａ，４ＢＡまたは１Ｂがカセット装着部２１に装着されると、当該給紙カセットのＩＤ設定部４１に設定されているカセットＩＤがＩＤ認識部２１０によって認識されるようになっている。例えばＩＤ設定部４１としては、無線タグの利用が考えられる。この場合、ＩＤ認識部２１０は、無線タグリーダが用いられる。また、ＩＤ設定部４１として凹凸自在な端子群の利用が考えられる。この場合、ＩＤ認識部２１０は、各端子の凹凸状態を検知する例えば光学式センサが用いられる。
【００２４】
キー入力部２６には、特に、後処理キー２６１が設けられている。この後処理キー２６１の機能については後述する。時計部２８は、現在の日付及び時刻を計時する。
【００２５】
記憶部２９には、特に図３に示すエリア構造の各種データテーブル２９１〜２９４が形成されている。データテーブル２９１は、各窓口端末機１Ａ，１Ｂに対して固定的に設定されている端末ＩＤに対応して、その窓口端末機１Ａ，１Ｂに対して可変的に設定される窓口ＩＤを記憶するもので、端末ＩＤテーブル２９１と称する。データテーブル２９２は、カセット装着部２１に装着された給紙カセット４Ａ，４ＢのカセットＩＤを記憶するもので、カセットＩＤテーブル２９２と称する。データテーブル２９３は、窓口ＩＤ，帳票区分，口座番号，払込み金額，入力時刻及び確定フラグの各項目からなる対面処理データを蓄積保存するもので、対面処理データテーブル２９３と称する。データテーブル２９４は、帳票区分，口座番号及び払込み金額の各項目からなる後方処理データを蓄積保存するもので、帳票データテーブル２９４と称する。
【００２６】
ここに、帳票処理装置２は、カセット装着部２１に装着された給紙カセット４Ａ，４Ｂから帳票である払込み票３を１枚ずつ繰り出して当該払込み票３のイメージデータの取得及び認識処理等の後方処理を行うものである。
【００２７】
図４は窓口端末機１Ａ，１Ｂの要部構成を示すブロック図であり、各窓口端末機１Ａ，１Ｂは同一構成を有している。すなわち、窓口端末機１Ａ，１Ｂは、前記キーボード１１，表示器１２及び通信インターフェイス１３の他に、制御部本体を構成するＣＰＵ（Central Processing Unit）１４、プログラム等の固定的データが予め格納されたＲＯＭ（Read Only Memory）１５、可変的データを一時的に記憶するための種々のメモリエリアが形成されるＲＡＭ（Random Access Memory）１６、電源スイッチ１７及びＩＤ認識部１８を備えている。そしてＣＰＵ１４に、キーボード１１，表示器１２，通信インターフェイス１３，ＲＯＭ１５，ＲＡＭ１６及びＩＤ認識部１８の各部が接続されている。
【００２８】
ＲＯＭ１５には、窓口端末機１Ａ，１Ｂ毎に固定的に設定される端末ＩＤ１５１が予め記憶されている。  
ＲＡＭ１６には、当該窓口端末機１Ａ，１Ｂが備えられている窓口を識別するための窓口識別コードである窓口ＩＤを記憶するためのエリア１６１が形成されている。
【００２９】
ＩＤ認識部１８は、帳票処理装置２におけるＩＤ認識部２１０と同様に、前記給紙カセット４Ａ，４ＢのＩＤ設定部４１に設定されているカセットＩＤを認識するものである。
【００３０】
しかして、ＣＰＵ１４は、電源スイッチ１７の投入により電源がオンされると、図５の流れ図に示す手順で対面処理を実行するようになっている。先ず、ＳＴ（ステップ）１としてＲＡＭ１６，ＩＤ認識部１８，キーボード１１，表示器１２及び通信インターフェイス１３等の初期化を行う。
【００３１】
次に、ＳＴ２として窓口ＩＤが設定されるのを待機する。ここで、払込み票３を保管するために窓口に置かれた給紙カセット４Ａ，４ＢのＩＤ設定部４１に設定されているカセットＩＤをＩＤ認識部１８で認識すると、ＣＰＵ１４は、ＳＴ３としてそのカセットＩＤが窓口ＩＤとして設定されたと判断する。そして、同一の窓口ＩＤが他の窓口端末機に設定されているか否かを問い合わせる信号を、信号ケーブル５を介して帳票処理装置２に送信する。
【００３２】
帳票処理装置２の制御部２１１は、この問合せ信号に応答して記憶部２９の端末ＩＤテーブル２９１を検索し、問合せのあった窓口ＩＤが既に設定済か否かを調べる。そして、設定済の場合には重複有り応答の信号を、設定済でない場合には重複無し応答の信号を、問合せ元の窓口端末機に対して返信するものとなっている。
【００３３】
そこでＣＰＵ１４は、ＳＴ４として帳票処理装置２からの応答信号を待機する。そして、重複有りの応答信号を受信した場合には表示器１２にエラーを表示させて、その後の処理を禁止する（重複設定禁止手段）。
【００３４】
一方、重複無しの応答信号を受信した場合には、ＣＰＵ１４は、ＳＴ５として今回設定された窓口ＩＤつまりはカセットＩＤをＲＡＭ１６の窓口ＩＤエリア１６１に書込み記憶する（窓口識別コード設定手段）。また、ＳＴ６としてＲＯＭ１５に予め記憶されている端末ＩＤ１５１と、窓口ＩＤエリア１６１内の窓口ＩＤつまりはカセットＩＤとを、信号ケーブル５を通じて帳票処理装置２に送信する。
【００３５】
次に、ＣＰＵ１４は、ＳＴ７として払込み票３のデータ入力待ちを示すメッセージを表示器１２に表示させる。この状態で、ＳＴ８としてキーボード１１のキー操作により払込み票３の帳票区分３１１が入力されたことを検知すると、ＣＰＵ１４は、ＳＴ９としてその帳票区分３１１を表示器１２に表示させる。また、ＳＴ１０としてキーボード１１のキー操作により払込み票３の口座番号３１２が入力されたことを検知すると、ＣＰＵ１４は、ＳＴ１１としてその口座番号３１２を表示器１２に表示させる。さらに、ＳＴ１２としてキーボード１１のキー操作により払込み票３の払込み金額３１３が入力されたことを検知すると、ＣＰＵ１４は、ＳＴ１３としてその払込み金額３１３を表示器１２に表示させる。
【００３６】
こうして、払込み票３に記録されている帳票区分３１１，口座番号３１２及び払込み金額３１３の３項目が入力されると、ＣＰＵ１４は、ＳＴ１４としてこれらの入力データを窓口ＩＤエリア１６１に記憶されている窓口ＩＤとともに、対面処理データとして信号ケーブル５を通じて帳票処理装置２に送信する（データ送信処理手段）。
【００３７】
帳票処理装置２の制御部２１１は、いずれかのインターフェイス２１２，２１３に接続されている窓口端末機１Ａ，１Ｂから対面処理データを受信すると、時計部２８で計時されている時刻を入力時刻として取得する。そして、この入力時刻データと対面処理受信データとを、未確定を示す確定フラグ“０”とともに、対面処理データテーブル２９３に追加格納するものとなっている（対面処理データ記憶手段）。
【００３８】
ＣＰＵ１４は、対面処理データを送信後、ＳＴ７の処理に戻り、払込み票３のデータ入力待ちを示すメッセージを表示器１２に再度表示させる。そして、次の払込み票３のデータが入力されるのを待機する。
【００３９】
図６は帳票処理装置２の制御部２１１が実行する後処理キー入力処理の要部手順を示す流れ図である。すなわち制御部２１１は、キー入力部２６の後処理キー２６１が操作入力されると、ＳＴ２１としてカセット装着部２１に装着されている給紙カセット４Ａまたは４ＢのＩＤ設定部４１に設定されているカセットＩＤをＩＤ認識部２１０で認識しているか否かを判断する。ここで、カセットＩＤを認識できない場合には、カセット装着部２１に給紙カセットが装着されていない状態で後処理キー２６１が操作された誤操作なので、表示部２７にエラーメッセージを表示させて、その後の処理を禁止する。
【００４０】
ＩＤ認識部２１０でカセットＩＤを認識している場合には、制御部２１１は、ＳＴ２２としてそのカセットＩＤを記憶部２１９におけるカセットＩＤテーブル２９２に書込み記憶する。また、ＳＴ２３としてこのカセットＩＤを表示部２７に表示させる。
【００４１】
次に、制御部２１１は、ＳＴ２４として給紙部２３を起動させる。これにより、カセット装着部２１に装着されている給紙カセット４Ａまたは４Ｂから払込み票３が１枚ずつ繰り出されるので、制御部２１１は、ＳＴ２５として給紙部２３からのセンサ信号により払込み票３が繰り出されたことを検知する毎に、ＳＴ２６としてイメージ読取部２４を動作させて、当該払込み票３のイメージデータを読取らせ、表示部２７に表示させる。また、このイメージデータを解析して、当該払込み票３に記録されている帳票区分３１１，口座番号３１２及び払込み金額３１３の文字認識を行う。
【００４２】
ここで、ＳＴ２７として当該払込み票３に記録されている帳票区分３１１，口座番号３１２及び払込み金額３１３の文字認識が正常に行われ、各データが帳票データテーブル２９４に保存されると、制御部２１１は、ＳＴ２８として対面処理データテーブル２９３に記憶されている対面処理データのうち、窓口区分がカセットＩＤテーブル２９２に設定されているカセットＩＤと等しい対面処理データを検索して、帳票データテーブル２９４に最新保存されたデータと帳票区分３１１，口座番号３１２及び払込み金額３１３が一致する対面処理データの有無を判断する（データ比較手段）。
【００４３】
その結果、ＳＴ２９として同一データ有りを判断した場合には、制御部２１１は、ＳＴ３０として該当する対面処理データの確定フラグを確定済を示す“１”に更新する。また、ＳＴ３１として印字部２５を動作させて搬送路２２を搬送中の払込み票３の印字欄３１６に払込み金額等の所定事項を印字させる。そして、ＳＴ３２としてこの払込み票３を正常スタッカへ排出させる。
【００４４】
なお、払込み票３のイメージデータから文字認識を正常に行えない場合、あるいは文字認識された払込み票のデータと一致する対面処理データが対面処理データテーブル２９３に存在しない場合には、その時点で制御部２１１は、ＳＴ３３としてこの払込み票３を異常スタッカへ排出させる。
【００４５】
制御部２１１は、給紙カセット４Ａまたは４Ｂから払込み票３が繰り出される毎に、上記の処理を繰り返し実行する。そして、給紙カセット４Ａまたは４Ｂに保管されていた全ての払込み票３に対して上記の処理を実行し、正常スタッカあるいは異常スタッカに排出させたならば、制御部２１１は、ＳＴ３４として給紙部２３の動作を停止させて、今回の後処理キー入力処理を終了する。
【００４６】
このような構成の窓口端末機１Ａ，１Ｂと帳票処理装置２とからなる払込み処理システムにおいて、今、１番窓口には端末ＩＤ＝０１の窓口端末機１ＡとカセットＩＤ＝Ｃ１の給紙カセット４Ａが置かれており、２番窓口には端末ＩＤ＝０２の窓口端末機１ＢとカセットＩＤ＝Ｃ２の給紙カセット４Ｂが置かれているものとする。ここで、給紙カセット４Ａ，４Ｂは、それぞれ対応する窓口で払込みに用いられた払込み票３を保管するためのケースとして用いられる。
【００４７】
このような状態で、１番窓口の窓口担当者が窓口端末機１Ａの電源スイッチ１７をオンし、２番窓口の窓口担当者が窓口端末機１Ｂの電源スイッチ１７をオンしたとする。そうすると、窓口端末機１Ａでは、ＩＤ認識部１８によって給紙カセット４ＡのＩＤ設定部４１に設定されているカセットＩＤ＝Ｃ１が認識され、窓口端末機１Ｂでは、ＩＤ認識部１８によって給紙カセット４ＢのＩＤ設定部４１に設定されているカセットＩＤ＝Ｃ２が認識される。この場合、お互いが認識したカセットＩＤは重複しないので、窓口端末機１ＡのＲＡＭ１６における窓口ＩＤエリア１６１には給紙カセット４ＡのカセットＩＤ＝Ｃ１が窓口ＩＤとして設定され、窓口端末機１Ｂの同窓口ＩＤエリア１６１には給紙カセット４ＢのカセットＩＤ＝Ｃ２が窓口ＩＤとして設定される。また、帳票処理装置２の端末ＩＤテーブル２９１には、窓口端末機１Ａの端末ＩＤ＝０１に対応して窓口ＩＤ＝Ｃ１が設定され、窓口端末機１Ｂの端末ＩＤ＝０２に対応して窓口ＩＤ＝Ｃ２が設定される。
【００４８】
したがって、同一窓口に置かれる窓口端末機１Ａ，１Ｂに設定される窓口ＩＤと、払込み票保管ケースとしての給紙カセット４Ａ，４Ｂに設定されるカセットＩＤとは一致したものとなる。
【００４９】
各窓口担当者は、各々の窓口にて利用者から払込み票３と払込み金額の提出を受ける毎に、窓口端末機１Ａ．１Ｂのキーボード１１を操作して、払込み票３に記録されている帳票区分３１１，口座番号３１２及び払込み金額３１３を入力する。そうすると、このキー入力された帳票区分３１１，口座番号３１２及び払込み金額３１３の各データが窓口ＩＤエリア１６１に設定されている窓口ＩＤとともに対面処理データとして帳票処理装置２に伝送される。帳票処理装置２では、各窓口端末機１Ａ，１Ｂから随時送られてくる対面処理データが、入力時刻データ及び未確定を示す確定フラグ“０”とともに対面処理データテーブル２９３に順次蓄積保存される。すなわち、窓口端末機１Ａ，１Ｂから受信した対面処理データが当該対面処理データに付された窓口ＩＤに関連付けられて記憶されることとなる。
【００５０】
その後、例えば１番窓口の窓口担当者Ａが自身の窓口業務が終了すると、窓口端末機１Ａの電源スイッチ１７をオフした後、給紙カセット４Ａを持って帳票処理装置２が設置されている場所まで行き、カセット装着部２１に給紙カセット４Ａをセットする。そして、後処理キー２６１を操作入力する。
【００５１】
そうすると、帳票処理装置２では、ＩＤ認識部２１０によって給紙カセット４ＡのＩＤ設定部４１に設定されているカセットＩＤ＝Ｃ１が認識され、カセットＩＤテーブル２９２にセットされるとともに表示部２７に表示される。しかる後、給紙部２３が動作して、給紙カセット４Ａに収容されている払込み票３が１枚ずつ搬送路２２に繰り出される。そして、この払込み票３のイメージデータがイメージ読取部２４により読取られて表示部２７に表示される。また、このイメージデータが解析されて当該払込み票３に記録されている帳票区分３１１，口座番号３１２及び払込み金額３１３の文字認識が行われる。そして、認識された帳票区分３１１，口座番号３１２及び払込み金額３１３の各データが当該払込み票の帳票データとして帳票データテーブル２９４に保存される。
【００５２】
また、対面処理データテーブル２９３が検索されて、帳票データテーブル２９４に今回保存された帳票データと帳票区分３１１，口座番号３１２及び払込み金額３１３が全て一致する対面処理データが保存されているか否かが判断される。この際、対面処理データテーブル２９３に保存されている全ての対面処理データのうち、カセットＩＤテーブル２９２に設定されているカセットＩＤと窓口ＩＤが一致するデータだけが選択されて、帳票区分，口座番号及び払込み金額が比較される。
【００５３】
その結果、窓口ＩＤがカセットＩＤと等しい対面処理データの中に、当該払込み票３の帳票データと帳票区分，口座番号及び払込み金額が一致する対面処理データが保存されている場合には、当該対面処理データの確定フラグが、確定済を示す“１”に更新される。また、印字部２５の動作により当該払込み票３に払込み金額等の所定事項が印字される。その後、当該払込み票３は正常スタッカに排出される。
【００５４】
一方、窓口ＩＤがカセットＩＤと等しい対面処理データの中に、当該払込み票３の帳票データと帳票区分，口座番号及び払込み金額が一致する対面処理データが保存されていない場合には、当該払込み票３は異常スタッカに排出される。
【００５５】
こうして、給紙カセット４Ａに保管された全ての払込み票３に対して上記の後方処理が終了したならば、窓口担当者Ａは、給紙カセット４Ａをカセット装着部２１から外して１番窓口に戻して、次の担当者と交代する。
【００５６】
このように本実施の形態においては、帳票処理装置２の給紙カセット４Ａ，４Ｂ毎に固有のカセット識別コードであるカセットＩＤを設定するとともに、帳票処理装置２に、カセット装着部２１に装着された給紙カセット４Ａ，４ＢからカセットＩＤを認識するＩＤ認識部２１０を設けている。したがって、帳票処理装置２においては、給紙カセット４Ａ，４Ｂから繰り出された払込み票３の処理データである帳票データを、当該給紙カセット４Ａ，４ＢのカセットＩＤに関連付けて管理することが可能となる。そこで、給紙カセット４Ａ，４Ｂを１つの窓口で対面処理された払込み票専用の保管ケースとして使用することにより、この給紙カセット４Ａ，４Ｂをカセット装着部２１に装着し処理を実行させるだけで、帳票処理装置２で処理された払込み票３の帳票データから当該払込み票３の対面処理が行われた窓口を特定することが可能となる。
【００５７】
詳しくは本実施の形態では、窓口端末機１Ａ，１Ｂが、当該窓口での帳票保管用ケースとしての給紙カセット４Ａ，４ＢのカセットＩＤと一致する窓口ＩＤを設定する手段と、対面処理データに窓口ＩＤを付して帳票処理装置２に送信する手段とを有している。そして帳票処理装置２は、窓口端末機１Ａ，１Ｂから受信した対面処理データを当該対面処理データに付された窓口ＩＤに関連付けて記憶するようにしている。したがって、給紙カセット４Ａ，４Ｂを１つの窓口で対面処理された払込み票専用の保管ケースとして使用することによって、カセットＩＤと窓口ＩＤとは一致するので、給紙カセット４Ａ，４Ｂをカセット装着部２１に装着し処理を実行させるだけで、帳票処理装置２で処理された払込み票３の帳票データから当該払込み票３の対面処理が行われた窓口を特定することが可能となる。
【００５８】
このように本実施の形態によれば、帳票処理装置２において、給紙カセット４Ａ，４Ｂから繰り出され後方処理された払込み票３と、その払込み票３が取り扱われた窓口とを一義的に定めることができる。その結果、帳票処理装置２で処理された払込み票３の取扱い窓口若しくは窓口担当者を特定する作業を容易に行えるようになる。
【００５９】
なお、この発明は前記実施形態そのままに限定されるものではなく、実施段階ではその要旨を逸脱しない範囲で構成要素を変形して具体化できる。
【００６０】
例えば、前記実施の形態では窓口端末機１Ａ，１Ｂを２台として説明したが、窓口端末機の台数は２台に限定されるものではなく、払込み窓口の数に対応できる数であればよい。同様に、給紙カセット４Ａ，４Ｂの数も２個に限定されるものではなく、各払込み窓口で払込み票３の保管ケースとして用いることができる数であればよい。また、窓口端末機１Ａ，１Ｂと帳票処理装置２との間のデータ通信方式は、有線通信に限定されるものではなく、電波，赤外線等を利用した無線通信であってもよい。
【００６１】
また、前記実施の形態では、窓口端末機１Ａ，１Ｂにて入力する払込み票３のデータ項目を帳票ＩＤ，口座番号及び払込み金額の３項目としたが、入力項目はこれに限定されるものではなく、例えば帳票ＩＤの入力を省略してもよい。また、入力する順番も前記実施の形態の順番に限定されないのは言うまでもないことである。
【００６２】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００６３】
【図１】本発明の一実施の形態である払込み処理システムの全体構成を示す模式図。
【図２】本実施の形態で使用される払込み票の平面図。
【図３】本実施の形態における帳票処理装置の記憶部に形成されるデータテーブルを示す模式図。
【図４】本実施の形態における窓口端末機の要部構成を示すブロック図。
【図５】本実施の形態において窓口端末機のＣＰＵが実行するメイン処理の要部を示す流れ図。
【図６】本実施の形態において帳票処理装置の制御部が実行する後処理キー処理の要部を示す流れ図。
【符号の説明】
【００６４】
１Ａ，１Ｂ…窓口端末機、２…帳票処理装置、３…払込み票、４Ａ，４Ｂ…給紙カセット、１８，２１０…ＩＤ認識部、４１…ＩＤ設定部、１６１…窓口ＩＤ記憶エリア、２９１…端末ＩＤテーブル、２９２…カセットＩＤテーブル、２９３…対面処理データテーブル、２９４…帳票データテーブル。
【図１】
2006252308.tif 000003
【図２】
2006252308.tif 000004
【図３】
2006252308.tif 000005
【図４】
2006252308.tif 000006
【図５】
2006252308.tif 000007
【図６】
2006252308.tif 000008